(57)【要約】      （修正有）【課題】一つの静電センサを用いて、ドアの施錠／解錠制御を行う、安価な車両制御装置を提供する。【解決手段】リクエストスイッチに携帯機を携帯したユーザが接触したときに、リクエストスイッチからボデーＥＣＵにＯＮ信号を送信し、ボデーＥＣＵがドアのロック／アンロック制御を行う。ここで、ボデーＥＣＵは、ドアがアンロックされた状態でリクエストスイッチからＯＮ信号を受信した場合は、すぐにはドアロック制御を行わずに所定時間待機する。そして所定時間が経過するまでにドアが開状態とならなかった場合は所定時間経過後にドアロック制御を行うが、開状態となった場合はドアロック制御をキャンセルする。【選択図】図２
2020105761.tif 000002
【特許請求の範囲】
【請求項１】
携帯機を携帯するユーザが、車両のドアハンドルに設けられたリクエストスイッチに接触することにより、前記車両内に設けられた制御手段が前記携帯機を照合してドアロックと、ドアロックの解除とを行う車両制御装置において、
前記リクエストスイッチは、
前記制御手段から電源を供給され、静電容量の変化を検知する静電容量式センサであり、
前記ユーザの接触による静電容量の変化量が所定値を超えたときにＯＮ信号を出力し、
前記制御手段は、
ドアロックが解除された状態で前記ＯＮ信号を検知した場合に、前記携帯機の照合を行って照合結果が正常であるときには、予め定められた遅延時間の間に車両ドアが開状態とならなければ、当該信号がドアロックを指示するものであるとして前記遅延時間経過後にドアロック制御を行い、前記遅延時間の間に車両ドアが開状態となれば、当該信号がドアロックを指示するものではないとしてドアロック制御をキャンセルする
ことを特徴とする車両制御装置。
【発明の詳細な説明】
【技術分野】
【０００１】
本発明は、携帯機を携帯するユーザが車両のドアハンドルに設けられたリクエストスイッチに接触することにより、車両のドアをアンロックする車両制御装置に関する。
【背景技術】
【０００２】
従来、携帯機を携帯したユーザが、車両のドアハンドル等に埋設されたリクエストスイッチに接触することにより、リクエストスイッチから制御手段に検知信号が送信され、検知信号を受信したマイクロコンピュータ構成の制御手段により、ドアをロックしたり、アンロックしたりする装置が提案されている。例えば、特許文献１に記載のドアの施・解錠意思確認装置では、ドアハンドルの把持部（中空構造）の異なる位置に、それぞれ静電センサから成るアンロックセンサとロックセンサを配設している。ここで、乗員がドアの施錠を望む場合は把持部のロックセンサの配置部の近傍に触れ、解除する場合は把持部のアンロックセンサの配置部の近傍に触れることで、乗員の意図通りのドアの施・解錠が可能となっている。また、アンロックセンサの外側（車室とは反対側）と、ロックセンサの内側（車室側）それぞれに静電シールド板を配置し、各センサの誤作動を防止している。
【先行技術文献】
【特許文献】
【０００３】
【特許文献１】特開２００２−２９５０９４号公報（段落００１５〜００２５参照）
【発明の概要】
【発明が解決しようとする課題】
【０００４】
上記した特許文献１に記載のドアの施錠／解錠制御装置では、ロックセンサとアンロックセンサとを個別に設け、異なる位置に配置することで、乗員の意図に反してドアの施錠と解錠が行われるのを防止しているが、制御装置が高価となる。そこで、一つのセンサを用いて、ドアがロックされた状態で当該センサに触れるとロックを解除し、ドアがアンロックされた状態で当該センサに触れるとロックすることが考えられるが、例えば、センサに一度触れたあとに、誤ってセンサに再度触れてしまうと意図に反した施錠／解錠制御が行われるおそれがある。
【０００５】
本発明は、一つの静電センサを用いて、ドアの施錠／解錠制御を行って、安価な制御装置を提供するとともに、乗員の意図に反した施錠／解錠制御が行われるのを防止することを目的とする。
【課題を解決するための手段】
【０００６】
上記した目的を達成するために、携帯機を携帯するユーザが、車両のドアハンドルに設けられたリクエストスイッチに接触することにより、前記車両内に設けられた制御手段が前記携帯機を照合してドアロックと、ドアロックの解除とを行う車両制御装置において、前記リクエストスイッチは、前記制御手段から電源を供給され、静電容量の変化を検知する静電容量式センサであり、前記ユーザの接触による静電容量の変化量が所定値を超えたときにＯＮ信号を出力し、前記制御手段は、ドアロックが解除された状態で前記ＯＮ信号を検知した場合に、前記携帯機の照合を行って照合結果が正常であるときには、予め定められた遅延時間の間に車両ドアが開状態とならなければ、当該信号がドアロックを指示するものであるとして前記遅延時間経過後にドアロック制御を行い、前記遅延時間の間に車両ドアが開状態となれば、当該信号がドアロックを指示するものではないとしてドアロック制御をキャンセルすることを特徴としている（請求項１）。
【発明の効果】
【０００７】
本発明によれば、一つの静電容量式センサを用いて、ドアのロックとアンロックの制御を行うため、安価な制御装置を提供することができる。また、乗員は、ドアロックを解除しようとしてセンサに触れれば、ドアロックが解除されるが、その後、例えばドアを開けるときに誤って再びセンサに触れたとしても、遅延時間が経過するまでにドアを開ければ、再度センサに触れたことに基づいたドアロック制御はキャンセルされるため、乗員の意図に反してドアがロックされるのを防止できる。
【０００８】
一方、乗員が降車して車両から離れるときにドアロックをすべくセンサに触れた場合では、ドアを開ける操作を行うことなく車両から離れるため、ドアが閉状態のまま遅延時間が経過し、その後にドアロック制御が行われる。すなわち、乗員の意図通りにドアロック制御が行われることになる。
【図面の簡単な説明】
【０００９】
【図１】本発明に係る車両制御装置の一実施形態のブロック図である。
【図２】図１の動作説明図である。
【図３】図１の動作説明図である。
【図４】図１の遅延時間を設けない場合の動作説明図である。
【発明を実施するための形態】
【００１０】
本発明に係る車両制御装置の一実施形態について、図１ないし図４を参照して詳細に説明する。
【００１１】
図１は車両制御装置１を示し、車両に設けられた異なる検知エリアを有する車室内アンテナ２および車室外アンテナ３と、これらアンテナ２，３との間で無線信号による送受信を行う携帯機４と、図示省略のバッテリにより電源供給され携帯機４の照合およびドアのロック、アンロックの制御を司るマイクロコンピュータ構成のボデーＥＣＵ（Ｅｌｅｃｔｒｏｎｉｃ  Ｃｏｎｔｒｏｌ  Ｕｎｉｔ）５と、ボデーＥＣＵ５により制御されてドアをロック、アンロックするドアロック機構６と、ユーザ（乗員）に対して所定の報知を行うブザーやランプ等から成る報知手段７と、運転席、助手席のドアのハンドルに埋設された静電容量式センサから成りボデーＥＣＵ５を介して電源供給されるリクエストスイッチ８と、ドアの開閉を検知するドア開閉センサ９とを備える。
【００１２】
この実施形態では、ドアのロックとアンロックとを一つのリクエストスイッチ８を用いて行う。具体的には、車室外アンテナ３の検知エリア内に、携帯機４を携帯した当該車両の所有者（ユーザ）が車外から接近すると、車室外アンテナ３と携帯機４との間での無線信号による送受信を行うことが可能な状態になり、これにより携帯機４を携帯した所有者（ユーザ）が車両から所定範囲内に接近したと判断される。
【００１３】
そして、ドアがロックされた状態で、ユーザがドアのハンドル部分のリクエストスイッチ８に接触すると、リクエストスイッチ８の静電容量が変化して人体（ユーザ）の接触を検知し、リクエストスイッチ８からボデーＥＣＵ５にＯＮ信号が送信される（図２参照）。そして、携帯機４からＩＤを含むアンロック信号が車室外アンテナ３により受信されると、ボデーＥＣＵ５の照合部５ａにより、受信された携帯機４から信号のＩＤが、内蔵メモリ等の記憶部５ｂに登録されたＩＤと一致するかどうかの照合（キー照合）が行われる。この照合の結果で、一致となれば当該携帯機４は正規の所有者（ユーザ）のものと判断され、直ちにボデーＥＣＵ５によりドアロック機構６が制御されて車両の全てのドアがアンロックされる。このとき、報知手段７によりドアのアンロック通知音が鳴らされる。
【００１４】
なお、リクエストスイッチ８は、上記したとおり静電容量式センサから成るため、ユーザ（人体）の接触により静電容量が基準値から変化し、変化後の静電容量の検出値と基準値との差が所定の変化量以上であれば、ユーザ（人体）の接触による静電容量変化であるとして、リクエストスイッチ８からボデーＥＣＵ５にＯＮ信号が送信される。
【００１５】
一方、ドアがアンロックの状態で、ユーザがドアのハンドル部分のリクエストスイッチ８に接触すると、リクエストスイッチ８の静電容量が変化して人体（ユーザ）の接触を検知し、リクエストスイッチ８からボデーＥＣＵ５にＯＮ信号が送信される。そして、ドアがアンロックされる場合と同様に、ボデーＥＣＵ５の照合部５ａにより、キー照合が行われる。この照合の結果で、一致となった場合、この実施形態ではボデーＥＣＵ５は、直ちにドアのロック制御は行わない。
【００１６】
具体的には、ボデーＥＣＵ５は、照合結果が一致した場合、所定時間（例えば、０．５秒：遅延時間）の間、全てのドアの閉状態が維持されているかを判定し、閉状態が維持されていると判定した場合は、当該ＯＮ信号がユーザによるドアロックを指示するものであると判断して、車両の全てのドアのロック制御を行う（ロックモータの作動制御）。すなわち、ボデーＥＣＵ５は、ドアがアンロックの状態でリクエストスイッチ８からＯＮ信号を受信した場合は、直ちにドアロック制御を行わず、所定時間（遅延時間）待機し、所定時間全てのドアの閉状態が維持されていれば、ドアロック制御を行う。なお、ドアロック制御が行われた場合は、報知手段７によりドアのロック通知音が鳴らされる。
【００１７】
これに対して、所定時間（遅延時間）にいずれかのドアが一度でも開状態となった場合、ボデーＥＣＵ５は、当該ＯＮ信号がユーザによるドアロックを指示するものではないと判断して、ドアロック機構６によるドアのロック制御をキャンセルする。この場合は、報知手段７によりドアのロック通知音が鳴らされない。
【００１８】
したがって、例えば、ユーザが車両に接近し、ドアのハンドル部分のリクエストスイッチ８に接触し、ドアがアンロックされた後、実際に乗り込む際に誤って再びリクエストスイッチ８に接触するような事態が生じても、キー照合時間と所定時間（０．５秒：遅延時間）が経過するまでの間に、ドアを開けていれば、ドアのロック制御がキャンセルされる。なお、ドア開閉センサ９は、全てのドアで個別に設けられており、これらのドア開閉センサ９によるドアの開閉状態の検知情報は、常時ボデーＥＣＵ５に入力されている。
【００１９】
次に、この実施形態において、ユーザが車両を離れる際にリクエストスイッチ８でドアをロックする場合について、図３を参照してより具体的に説明する。例えば、ユーザが車両を離れる際、ドアをロックすべくリクエストスイッチ８に接触すると、ボデーＥＣＵ５によりキー照合が行われる。この照合結果が一致すれば、ボデーＥＣＵ５は、所定時間（例えば、０．５秒：遅延時間）の間、全てのドアの閉状態が維持されているかを判定する。車両を離れる場合、ユーザはリクエストスイッチ８に接触したあとは車両を離れることから、通常所定時間（遅延時間）、全てのドアの閉状態が維持される。そのため、ボデーＥＣＵ５は、遅延時間経過後にドアのロック制御を行い、報知手段７によりロック通知音が鳴らされる。したがって、遅延時間の間にユーザが移動し、車両から離れていてもロック通知音によりドアのロックは認識できる。
【００２０】
なお、ボデーＥＣＵ５は、キー照合を行っている間や、所定時間（０．５秒：遅延時間）が経過するまでの間に、ユーザがリクエストスイッチ８に触れ、該スイッチ８からＯＮ信号を受信しても、当該信号を受信しなかったものとして処理し、待機処理を優先する。
【００２１】
次に、仮に遅延時間を設けなかった場合について、図４を参照して説明する。この場合、ドアがロックされた状態で、ユーザがドアをアンロックすべくリクエストスイッチ８に接触すると、上記と同様に、リクエストスイッチ８からボデーＥＣＵ５にＯＮ信号が送信される。そして、ボデーＥＣＵ５の照合部５ａにより、キー照合が行われる。この照合の結果で、一致となった場合は、ボデーＥＣＵ５によりドアのアンロック制御が行われる。そして、実際に乗り込もうとして誤って再びリクエストスイッチ８に接触した場合は、キー照合で一致となり、直ちにボデーＥＣＵ５により、ユーザが意図しないドアのロック制御が行われ、さらに報知手段７によりドアのロック通知音が鳴らされる。したがって、ユーザがドアを開けて車室内に入ろうとしてもドアを開けることができないことになる。
【００２２】
なお、リクエストスイッチ８が触れられてドアのアンロック制御が行われてから、誤って再度リクエストスイッチ８が触れられるまでの間に車両のいずれかのドアが開けられていた場合、ボデーＥＣＵ５は、後者の操作（誤操作）に基づくＯＮ信号を受信したときに、ロックができない状態であるとして報知手段７から警告音を鳴らす制御を行う。そのため、例えば、ユーザがドアをアンロックすべく、リクエストスイッチ８（運転席側）に触れてから、誤って再度リクエストスイッチ８に触れるまでの間に、例えば助手席側のドアが開けられていた場合には、再度リクエストスイッチ８に触れた際に警告音が鳴ることになる。
【００２３】
また、ユーザがリクエストスイッチ８に接触せずに、携帯機４の携帯機４のアンロックキーを操作した場合も、携帯機４からＩＤを含むアンロック信号が送信されてこれが車室外アンテナ３により受信され、携帯機４の照合およびドアのアンロックが行われる。さらに、ユーザにより携帯機４のロックキーが操作されると、携帯機４からのロックキー操作信号に基づき、ドアのロックが行われる。
【００２４】
なお、この実施形態では、携帯機４のロックキーが操作された場合は、リクエストスイッチ８が操作されたときのような遅延時間は設けられていない。そのため、ボデーＥＣＵ５は、ロックキー操作信号を受信した場合は、所定時間待機することなく全てのドアが閉状態であることを条件として、直ちにドアロック制御を行う。
【００２５】
このように、ボデーＥＣＵ５によるドアのロック、アンロックの制御機能が、本発明における制御手段に相当する。
【００２６】
なお、ユーザが車両から降りてドアをロックする際に、携帯機４が車室内アンテナ２の検知エリア内あって、車室内アンテナ２からの送信信号を携帯機４が受信可能な状態でドアロック操作されると、ボデーＥＣＵ５により携帯機４が車室内に放置されていて閉じ込みのおそれがあると判断され、ボデーＥＣＵ５により報知手段７が制御されてユーザに携帯機４の閉じ込みの報知がなされる。
【００２７】
したがって、上記した実施形態によれば、一つの静電容量式センサ（リクエストスイッチ８）を用いて、ドアのロックとアンロックの制御を行うため、安価な制御装置を提供することができる。
【００２８】
また、ユーザは、ドアロックを解除しようとしてリクエストスイッチ８に触れれば、ドアロックが解除されるが、その後、例えばドアを開けるときに誤って再びセンサに触れたとしても、遅延時間が経過するまでにドアを開ければ、再度リクエストスイッチ８に触れたことに基づいたドアロック制御はキャンセルされるため、ユーザの意図に反してドアがロックされるのを防止できる。
【００２９】
また、ドアロックを解除すべくリクエストスイッチ８に触れてから誤って再度触れるまでの間に、ドアが開けられた場合、図４を参照して説明した、所定時間（遅延時間）の待機処理を行わない構成では、再度リクエストスイッチ８に触れたときに警告音がなって不快となっていたが、この実施形態では、このような場合でも、ドアが開けられたことに基づいてドアロック制御がキャンセルされることにより、警告音は鳴らないため、意図しない操作から警告音が鳴るという不快な状況を回避できる。
【００３０】
また、ユーザが降車して車両から離れるときにドアロックをすべくリクエストスイッチ８に触れた場合では、ドアを開ける操作を行うことなく車両から離れるため、ドアが閉状態のまま所定時間（遅延時間）が経過し、その後ドアロック制御が行われる。つまり、ユーザの意図通りにドアロック制御を行うことができる。
【００３１】
なお、本発明は上記した実施形態に限定されるものではなく、本発明の趣旨を逸脱しない限りにおいて種々の変更が可能である。
【００３２】
例えば、上記した実施形態では、所定時間（遅延時間）を０．５秒としたが、ユーザが違和感を抱かない範囲で適宜変更することができる。
【００３３】
また、この実施形態において、所定時間（遅延時間）の間にいずれかのドアが開状態となった場合は、直ちにドアロック制御をキャンセルしてもよいし、遅延時間が経過したときにドアロック制御をキャンセルしてもよい。
【００３４】
そして、本発明は、車両のドアハンドルに設けられたリクエストスイッチに接触することにより、ドアのロック／アンロックを行う車両制御装置に適用することができる。
【符号の説明】
【００３５】
１    …車両制御装置
４    …携帯機
５    …ボデーＥＣＵ（制御手段）
８  …リクエストスイッチ
【図１】
2020105761.tif 000003
【図２】
2020105761.tif 000004
【図３】
2020105761.tif 000005
【図４】
2020105761.tif 000006